(57)【要約】【課題】  従来の吸込口は、空気調和機本体にエアフィルターを取付けるのではなく、本体に通じる室内壁面の吸込口にエアフィルターを取付けるようにしているが、その取付け構造をフィルターはめ込み部と吸入口への固定部から成る取付具を用いるものとしていた。【解決手段】  本発明の吸込口は、吸込グリルを外枠と内枠とに分け、内枠を着脱可能とし、外枠と据付枠との間に溝を形成し、この溝にエアフィルターを装着したので、取付具が不要と成り、エアフィルターの着脱を吸込グリルの前部から内枠を外して行うことができ、エアフィルターのメンテナンスを容易に行うことができる。【選択図】        図２
2005133959.tif 000002
【特許請求の範囲】
【請求項１】
空気を吸込む前面側の吸込グリル、該吸込グリルを取付ける中空枠体である据付枠及びエアフィルターを備え、
前記吸込グリルは、外側の中空枠体で、前記据付枠に取付けることで前記両中空枠体で一体の枠体を形成する外枠と、複数の格子と吸込み空気が通過する開口を有し、該外枠内に収容されるとともに、着脱可能な内枠とからなり、
また、前記外枠の後端部と前記据付枠の前端部とで前記枠体の対向二辺に、内側に向かって開口する溝を形成し、該溝に前記エアフィルターの端部を挿入し、前記エアフィルターを着脱可能に装着したことを特徴とする吸込口。
【請求項２】
前記据付枠の前端部の内側寄りに切欠きを設け、該切欠きと前記外枠の後端部とで前記溝を形成したことを特徴とする請求項１に記載の吸込口。
【請求項３】
前記外枠の対向二辺に、内側に向かって開口する溝を設け、該溝に前記内枠の端部を挿入し、前記内枠を着脱可能に装着したことを特徴とする請求項１又は請求項２に記載の吸込口。
【請求項４】
請求項１〜請求項３のいずれかの請求項に記載の吸込口、室内ユニット本体、前記吸込口と前記室内ユニット本体とを接続する風路、前記室内ユニット本体に接続する吹出口及び室外ユニットを備えたことを特徴とする空気調和機。
【請求項５】
空気を吸込む吸込グリル、該吸込グリルを取付ける中空枠体である据付枠、室内ユニット本体、前記吸込グリルと前記室内ユニット本体とを接続する風路、前記室内ユニット本体に接続し、空調後の空気を吹出す吹出グリル及び前記室内ユニット本体と配管接続した室外ユニットを備え、
前記吸込グリルは、外側の中空枠体で、前記据付枠に取付けることで前記両中空枠体で一体の枠体を形成する外枠と、複数のグリッドと吸込み空気が通過する開口を有し、該外枠内に収容されるとともに、前記外枠の上下二辺に、内側に開口する溝部を設け、該溝部に端部を挿入し、着脱可能に装着される内枠とからなり、
また、前記外枠の後端部と、前記据付枠の前端部の内側寄りに形成された切欠きとで前記枠体の上下二辺に、内側に開口する溝を形成し、該溝に前記エアフィルターの端部を挿入し、前記エアフィルターを装着したことを特徴とする空気調和機。
【発明の詳細な説明】
【技術分野】
【０００１】
本発明は吸込口及びこれを備えた空気調和機に関し、特に、吸込口にエアフィルターを取付ける取付け構造に関するものである。
【背景技術】
【０００２】
従来の空気調和機の吸込口にエアフィルターを取付ける取付け構造に関しては、例えば、特許文献１に次の記載がある。
「本考案は従来のように空気調和機本体にエアフィルターを取付けるのではなく、本体に通じる室内壁面の吸込口にエアフィルターを取付けるようにし、しかもその取付け構造をフィルタはめ込み部と吸入口への固定部から成る取付具を用いることによりエアフィルターの着脱を容易にしたものである。」（例えば、特許文献１参照。）。
【特許文献１】実開昭５７−１９０３１６号公報（第２頁〜第５頁、第１図〜第３図）
【発明の開示】
【発明が解決しようとする課題】
【０００３】
しかしながら、上記従来の空気調和機のエアフィルターの取付け構造では、エアフィルターを取付けるのに特別に固定用の取付具という別部品が必要となるという問題があった。また、取付具により周辺部が塞がれ、エアフィルターの有効面積が損われるという問題があった。
【０００４】
本発明はかかる問題を解消し、エアフィルターの取付・取外しに特別の固定用の取付具等の別部品を必要とせずに行うことができ、エアフィルターのメンテナンスを容易とすることを目的とする。
【課題を解決するための手段】
【０００５】
本発明に係る吸込口は、空気を吸込む前面側の吸込グリル、該吸込グリルを取付ける中空枠体である据付枠及びエアフィルターを備え、吸込グリルが外側の中空枠体で、据付枠に取付けることで両中空枠体で一体の枠体を形成する外枠と、複数の格子を有し、該外枠内に収容されるとともに、着脱可能な内枠とからなり、また、外枠の後端部と据付枠の前端部とで枠体の対向二辺に、内側に開口する溝を形成し、該溝にエアフィルターの端部を挿入し、エアフィルターを着脱可能に装着したものである。
【発明の効果】
【０００６】
本発明に係る吸込口は、吸込グリルを外枠と内枠とに分け、内枠を着脱可能とし、外枠と据付枠との間に溝を形成し、この溝にエアフィルターを装着したので、特別の取付具を必要とせず、エアフィルターの着脱を吸込グリルの前部から内枠を外して行うことができ、エアフィルターのメンテナンスを容易に行うことができる。特に、この吸込口を室内ユニット本体を壁内、天井内又は床下内に設置する空気調和機に適用するとエアフィルターのメンテナンスを容易に行うことができるので有効である。
【発明を実施するための最良の形態】
【０００７】
以下、本発明の実施の形態を図面を参照して説明する。
実施の形態１．
図１は、本発明の実施の形態１による空気調和機の室内ユニットの全体を示す斜視図であり、図２は、同じく吸込口の縦断面図であり、図３は、同じく吸込口の横断面図である。
本実施の形態の空気調和機は、図１に示す室内ユニットと図示しない室外ユニットとを配管接続したものである。この室内ユニットは、吸込グリル３、風路１７、室内ユニット本体１及び吹出グリル５等から構成される。室内ユニット本体１は、内部に送風機、熱交換器等を有し、壁８を境として、空調する部屋側と反対側（以下、壁面内とする）に設置される。また、吸込グリル３と吹出グリル５とは並べて壁面に設置される。このとき、吸込グリル３と吹出グリル５とは垂直壁８の開口部に一部埋め込まれ、その前面が壁面から若干出るように設置される。
このような空気調和機は、室内ユニット本体１内の送風機により、吸込グリル３から部屋の空気を吸込み、この空気を壁面内で風路１７を形成する密閉空間を経て室内ユニット本体１に吸込み、熱交換器で熱交換し、温度調節等実施した後、室内ユニット本体１に接続された吹出グリル５から部屋へ吹出す。なお、図１に白ぬき矢印で空気の流れを示す。
【０００８】
図２及び図３において、吸込グリル３の内枠３ｂの着脱構造、吸込口の壁８への取付け構造及びエアフィルター１３の取付け構造について詳細に説明する。
室内ユニットの吸込口は、据付枠２、該据付枠２の前部に取付けた吸込グリル３及びエアフィルター１３から構成される。据付枠２は、空気の流れ方向に垂直の断面形状が矩形形状である中空枠体である。吸込グリル３は、外枠３ａと内枠３ｂからなり、外枠３ａは、据付枠２とほぼ同形状の空気吸込み方向に垂直な断面形状をもつ中空枠体であり、内部に吹出グリル５と意匠を合せた複数の格子１８と吸込み空気が通過する開口とを有する内枠３ｂを収容する。
据付枠２には、上下辺の前端部の内側寄りに、図２に示すように、断面矩形状の切欠き１０、１１を形成する。
また、吸込グリル３の外枠３ａには、後端部の外側寄りに、四辺とも図２、３に示すように断面ほぼ矩形状の切欠き９を形成する。さらに、外枠３ａには、上下二辺に、図２に示すように互に向い合って開口する断面矩形状の溝６、７を形成する。
【０００９】
据付枠２及び吸込グリル３からなる吸込口の壁８への取付は、壁８の開口部において、据付枠２と吸込グリル３とで壁８の開口部の壁端部を挟むように埋め込み行う。即ち、据付枠２の前端部に吸込グリル３の外枠３ａ後端部を重ねることにより、据付枠２の前端部の端面と吸込グリル３の切欠き９とで形成される、四辺に亘って外側に開口する溝９ａに壁８の開口部の壁端部を挟むように埋め込む。この際、図３に示すように、左右両端において、据付枠２の前端部に固定され、内側に延びる金属製の板状の受け具１５に外枠３ａの後端部に固定され、内側に延びる金属製の板状の止め具１４を重ね、両者をネジ１６にてねじ止めすることにより、外枠３ａは壁８を介して、壁８の内側に通された梁に固定された据付枠２に一体の枠体として固定される。
【００１０】
吸込グリル３の外枠３ａへの内枠３ｂの取付けは次の通りである。
外枠３ａの上下二辺に、互に向い合って開口する（内側に向かって開口する）断面矩形状の溝６、７を形成することにより、内枠３ｂの上下の端部であり、前後方向の長さを短くした端部を両溝６、７に、それぞれ、挿入し取付ける。内枠３ｂの上下長より両溝６、７間の距離を若干大きくすることにより、内枠３ｂは着脱可能に固定される。
【００１１】
エアフィルター１３の取付け構造は次の通りである。
外枠３ａを壁８を介して据付枠２に固定すると、据付枠２の上下の切欠き１０、１１と外枠３ａの後端部の端面とで、それぞれ、上下方向に向い合って開口する（内側に向かって開口する）溝１０ａ、１１ａが形成される。外枠３ａ内で、この上下の溝１０ａ、１１ａにエアフィルター１３の端部を挿入し、エアフィルター１３を取付ける。エアフィルター１３の上下長より両溝１０ａ、１１ａ間の距離を若干大きくすることにより、エアフィルター１３は着脱可能に固定される。下の溝１１ａにクッション材１２入れることにより、着脱可能であるとともに確実に固定できる。
エアフィルター１３の取付け、取外しは、据付枠２に外枠３を取付けた状態で、内枠３ｂを取り外して行う。
【００１２】
本吸込口によれば、外枠３ａの上下二辺に形成した溝６、７に内枠３ｂの上下端部を挿入することにより、内枠３ｂは、溝６、７間で上下動させ、例えば、上溝６の上端まで動かし、下端から抜き外しできる（図２の二点鎖線）。また、取付けも同様にでき、容易に着脱可能である。
【００１３】
また、据付枠２の上下辺の前端部の切欠き１０、１１と外枠３ａの上下辺の後端部の端面とで形成される上下の溝１０ａ、１１ａにエアフィルター１３の上下端部を、それぞれ、挿入するので、エアフィルター１３は、溝１０ａ、１１ａ間で上下動させ、例えば、上溝１０ａの上端まで動かし、下端から抜き外しできる。また、取付けも同様にでき、エアフィルター１３の着脱も同様に容易に可能である。そこで、内枠３ｂの着脱が容易であることより、エアフィルター１３の着脱を内枠３ｂを取り外して、吸込グリル３の前面から行うことができ、エアフィルター１３のメンテナンスが容易に行える。特に、壁内に室内ユニットを設置する空気調和機においては、吸込グリル３の前面からエアフィルター１３のメンテナンスができることは有効である。
また、溝１０ａ、１１ａの形成を、据付枠２の上下辺の前端部に切欠き１０、１１を設けることで行うので、工作が容易となる。
また、エアフィルター１３を支持するための固定具等の使用を廃止できるとともに、エアフィルター１３は、溝１０ａ、１１ａに挿入する部分を少なくすることにより、有効面積の減少を抑えることができる。
【００１４】
更に、外枠３ａを壁８を介して据付枠２に固定するためのネジ１６は、内枠３ｂを外枠３ａに装着することにより内枠３ｂ端部で隠され、意匠上見難くなることがない。
【００１５】
寸法上の制約と、その中で最小の加工でできる形状であることより、エアフィルター１３を取付ける溝１０ａ、１１ａの形成を据付枠２の上下の切欠き１０、１１と外枠３ａの後端部の端面で行ったが、溝の形成はこれに限らず、外枠３の後端部にのみ切欠きを設けてもよく、又両者の切欠きを合せてもよく、更に、切欠きなしの両端部の間隔を開けて形成してもよい。要するに、据付枠２に外枠３を固定したとき、両端部間に開口が対向する溝が形成できればよく、同様な効果が得られる。
【００１６】
また、吸込口の壁８への取付けは、外枠３に設けた切欠き９と据付枠２の端部で形成した溝９ａに壁８の端部を埋め込むようにして、設置安定性及び意匠上の効果を得ているが、このようにせずに、切欠き９及び溝９ａを設けず、吸込口を埋め込まずに壁８の開口に嵌め込むようにしてもほぼ同様の効果が得られる。
【００１７】
また、吸込グリル３を垂直壁８に取付け、壁内に室内ユニットを設置する場合で説明してきたが、室内ユニットの設置は、壁内の他、天井内又は床下でもよく、それに応じて吸込口（吸込グリル３）、吹出グリル５の取付けを、例えば、天井面等変化させる。そこで、吸込口を垂直壁８に取付けた場合のエアフィルター１３を取付ける上下の溝１０ａ、１１ａ及び内枠３ｂを取付ける上下の溝６、７は、それぞれ、対向二辺に、内側に向かって開口する溝１０ａ、１１ａ及び対向二辺に、内側に向かって開口する溝６、７となる。そして、このような吸込口及び吸込口を有する室内ユニット（空気調和機）も垂直壁８に取付けた場合と同様の効果を有する。
【００１８】
更に、本吸込口及び吸込口を有する室内ユニット（空気調和機）は、風路１７をダクトとし、吸込口と室内ユニット本体１をこのダクトで接続することにより、吸込口を複数としてもよく（吹出口である吹出グリル５も複数としてもよい）、この場合の吸込口の効果も同様である。
【産業上の利用可能性】
【００１９】
本発明の吸込口は、室内ユニットを壁内、天井内又は床下に設置する空気調和機に適用して有効に利用できる。また、本発明の吸込口は、フィルター内蔵の換気用ルーバとしても利用できる。
【図面の簡単な説明】
【００２０】
【図１】本発明の実施の形態１による空気調和機の室内ユニットの全体を示す斜視図である。
【図２】本発明の実施の形態１による空気調和機の室内ユニットの吸込口を示す縦断面図である。
【図３】本発明の実施の形態１による空気調和機の室内ユニットの吸込口を示す横断面図である。
【符号の説明】
【００２１】
２  据付枠、３  吸込グリル、３ａ  外枠、３ｂ  内枠、５  吹出口、６、７  内枠用の溝、１０、１１  切欠き、１０ａ、１１ａ  エアフィルター用の溝、１３  エアフィルター、１７  風路、１８  格子。
【図１】
2005133959.tif 000003
【図２】
2005133959.tif 000004
【図３】
2005133959.tif 000005